(57)【要約】【課題】  ネイルグルーを使用する場合でも、自爪にダメージを与えることなく、付け爪を簡単に取り外すことができる付け爪接着用テープを提供すること。【解決手段】  テープ部１０の表裏何れか一方の面にのみ粘着剤を塗布して自爪又は付け爪と接着する接着面１１とするとともに、前記テープ部１０の所要の位置に複数の貫通孔２を設けた付け爪接着用テープ１ａ，１ｂを用いる。【効果】  ネイルグルーを介して付け爪を接着するので、自爪と付け爪の曲率が合っていない場合でも隙間なく空間を埋めることができ、付け爪をしっかりと接着することができる。また、ネイルグルーと自爪又は付け爪の接着状態は点付けの状態となるため、自爪にダメージを与えることなく、例えばお湯につけるだけで簡単に付け爪を取り外すことができる。したがって、付け爪上の装飾を破壊せずに再利用することも可能となる。【選択図】  図１
0003148962.tif 000002
【実用新案登録請求の範囲】
【請求項１】
テープ部の表裏何れか一方の面にのみ粘着剤を塗布して自爪又は付け爪と接着する接着面とするとともに、前記テープ部の所要の位置に複数の貫通孔を設けたことを特徴とする付け爪接着用テープ。
【請求項２】
前記テープ部に孔のサイズが異なる大孔と小孔からなる複数の貫通孔を設け、前記大孔は前記テープ部の中央付近に設けるとともに、前記小孔は前記大孔の周囲に配設したことを特徴とする請求項１に記載の付け爪接着用テープ。
【請求項３】
易剥離面を有する台紙シートを備え、該台紙シートの易剥離面上に、請求項１又は２に記載の付け爪接着用テープを剥離可能に複数個定着させたことを特徴とする付け爪接着用テープセット。
【請求項４】
前記台紙シートの易剥離面側に貼着し得る剥離シートを備えたことを特徴とする請求項３に記載の付け爪接着用テープセット。
【請求項５】
前記台紙シートの易剥離面上に、ユーザの親指ないし小指の各爪のサイズに適合するように、段階的にサイズを変化させた付け爪接着用テープを剥離可能に複数個定着させたことを特徴とする請求項３又は４に記載の付け爪接着用テープセット。
【請求項６】
前記台紙シートの易剥離面上に、６種類以上のサイズの付け爪接着用テープを剥離可能にサイズ順に定着させて一組のテープセットとするとともに、前記テープセットを２列以上並列させたことを特徴とする請求項５に記載の付け爪接着用テープセット。
【考案の詳細な説明】
【技術分野】
【０００１】
本考案は、付け爪を自爪に接着する際に使用される付け爪接着用テープ及びそのセットに関する。
【背景技術】
【０００２】
従来より、付け爪の裏面と自爪の表面を接着する際には、例えば実用新案登録第３１３０９８０号公報の添付図面４に示されるように、画面テープか、あるいはネイルグルーと呼ばれる付け爪用の接着剤が使用されている。
【０００３】
しかし、上記した２つの接着手段の内、両面テープは、ユーザによって爪の形状は様々であるため、付け爪の裏面と自爪の表面の曲率が異なると、両者の間に隙間が生じ、テープの厚みが均一な両面テープでは密着性に欠けるという問題があった。そのため、両面テープを用いた場合は、使用中に付け爪が浮き上がって違和感を生じたり、剥がれ落ちてしまうこともあった。
【０００４】
この点、ネイルグルーは、固着するまでは流動状であるため、付け爪の裏面と自爪の表面の曲率が異なる場合でも、両者の隙間にできた空間を埋めることができるという利点がある。そのため、ユーザの爪の形状の違いによって生じる接着力不足や違和感の問題に関しては、ネイルグルーを使用する方が有利である。なお、樹脂製のネイルチップの上に、好みの装飾を施した付け爪も広く利用されている。
【考案の開示】
【考案が解決しようとする課題】
【０００５】
上述のとおり、ネイルグルーを使用すれば、強い接着力は得られる。しかし、ネイルグルーを使用した場合は、ネイルチップを自爪に接着後、デザイン変更のために剥離するときは、接着力が強いためにネイルチップ上に施した装飾を破壊する必要があり、ユーザが気に入ったデザインであっても、保存して再利用することは困難という問題があった。
【０００６】
また、ネイルグルーを使用した場合は、ネイルチップを剥離する際に力をかけるため、自爪にダメージが残るという問題もあった。
【０００７】
本考案は、上記した従来の問題点に鑑みてなされたものであり、ユーザの爪の形状は様々であっても付け爪をしっかりと接着でき、しかも、ネイルチップ上に施した装飾を変更したいときは自爪にダメージを与えることなくお湯で簡単に取り外せることが可能で、気に入ったデザインであれば破壊せずに再利用することもできる付け爪接着用テープを提供することを目的としている。
【課題を解決するための手段】
【０００８】
上記の目的を達成するために、本考案の付け爪接着用テープは、テープ部の表裏何れか一方の面にのみ粘着剤を塗布して自爪又は付け爪と接着する接着面とするとともに、前記テープ部の所要の位置に複数の貫通孔を設けたことを最も主要な特徴点としている。
【考案の効果】
【０００９】
本考案の付け爪接着用テープは、テープ部の表裏何れか一方の面にのみ粘着剤を塗布した接着面を備えており、使用する際は、先ず、この接着面を、付け爪の裏面と自爪の表面の双方にそれぞれ接着させる。その後、付け爪接着用テープを接着済みの自爪上に、ネイルグルーを塗り、その上から付け爪接着用テープを接着済みの付け爪を載せ置き、上から軽く押さえるようにする。このとき、ネイルグルーは、付け爪接着用テープに設けた貫通孔を通して自爪の表面及び付け爪の裏面の双方に到達し、これにより自爪、付け爪の双方と点付けされた状態となる。
【００１０】
このように、本考案の付け爪接着用テープは、固着前は流動体であるネイルグルーを介して付け爪を接着するので、自爪と付け爪の曲率が合っていない場合でも隙間なく空間を埋めることができ、ユーザの爪の形状は様々であっても、付け爪をしっかりと接着することができる。また、ネイルグルーと自爪若しくは付け爪の接着状態は、何れも、全面で強固に接着するものではなく、適度に点付けされた状態となるため、ネイルチップ上に施した装飾を変更したいときは、自爪にダメージを与えることなく例えばお湯につけるだけで簡単に取り外すことが可能となる。
【００１１】
したがって、本考案の付け爪接着用テープを用いれば、作成した装飾を破壊することなく、気に入ったデザインであれば保存して再利用することも可能となる。
【考案を実施するための最良の形態】
【００１２】
本考案の付け爪接着用テープは、テープ部の表裏何れか一方の面にのみ粘着剤を塗布して自爪又は付け爪と接着する接着面とするとともに、前記テープ部の所要の位置に複数の貫通孔を設けた構成である（本考案の第１の構成）。
【００１３】
本考案の第１の構成では、テープ部に設ける複数の貫通孔の数は特に限定されず、例えば小指用で７個、薬指用で９個、中指用、人差し指用で１２〜１４個、親指用で１９個とすることができる。また、貫通孔の形状は、特に限定されるものではなく、例えば円形、四角形、三角形等どのような形状の孔であっても良い。また、貫通孔のサイズも特に限定されないが、例えば円形の孔とする場合、直径は０．５ｍｍ〜２ｍｍの範囲とすることができる。
【００１４】
上記のとおり、テープ部に設ける貫通孔の数、形状、サイズは特に限定されないが、本考案者が種々検討したところによれば、テープ部の中央付近に設ける貫通孔は孔のサイズが大きい大孔とし、その大孔の周囲に孔のサイズが小さい小孔を配設する方が、付け爪の自爪に対する接着力がより向上することが判明している。これは、比較的平らな爪の中央付近は大孔を通じて接着ポイント１個あたりの面積を広くしてしっかりと接着させることが望ましいが、曲率が大きい爪の周縁部においては、小孔を多数設けて接着ポイントを分散させた方が爪の形状に追従し易く、接着状態が良好となるからである。
【００１５】
したがって、本考案の付け爪接着用テープは、テープ部に孔のサイズが異なる大孔と小孔からなる複数の貫通孔を設け、前記大孔は前記テープ部の中央付近に設けるとともに、前記小孔は前記大孔の周囲に配設した構成とすることが、より望ましい（本考案の第２の構成）。
【００１６】
また、本考案の付け爪接着用テープセットは、易剥離面を有する台紙シートを備え、該台紙シートの易剥離面上に、上記第１又は第２の構成の付け爪接着用テープを剥離可能に複数個定着させた構成である（本考案の第３の構成）。このようにすれば、一枚の台紙シートに、必要な数量分の付け爪接着用テープをまとめて持ち運びできるので、例えば旅行に持参する場合でも便利となる。
【００１７】
また、本考案の付け爪接着用テープセットは、台紙シートの易剥離面側に貼着し得る剥離シートを備えた構成であっても良い（本考案の第４の構成）。このようにすれば、付け爪接着用テープの上面を剥離シートが被覆するので、付け爪接着用テープが使用前に台紙シートから剥がれたり、表面が汚れたりするのを防止することができる。
【００１８】
また、本考案の付け爪接着用テープセットは、台紙シートの易剥離面上に、ユーザの親指ないし小指の各爪のサイズに適合するように、段階的にサイズを変化させた付け爪接着用テープを剥離可能に複数個定着させた構成とすることがより望ましい（本考案の第５の構成）。人の爪のサイズや形状は指毎に異なるため、親指ないし小指の各爪のサイズに適合するように、段階的にサイズを変化させてカットされた付け爪接着用テープのセットを提供すれば、便利である。
【００１９】
また、本考案の第５の構成を採用する場合は、台紙シートの易剥離面上に、６種類以上のサイズの付け爪接着用テープを剥離可能にサイズ順に定着させて一組のテープセットとするとともに、前記テープセットを２列以上並列させた構成とすることがより望ましい（本考案の第６の構成）。６種類以上のサイズを設けた理由は、ユーザによって爪のサイズは様々であるため、５種類のサイズを準備するだけでは、サイズが合わない可能性があるからである。また、サイズ順とすることが望ましい理由は、ユーザが自爪や付け爪に適合するテープを見付け易くするためである。さらに、６種類以上のサイズのテープを一組のセットとして、このセットを２列以上並列させた構成としたのは、例えば左手用、右手用として整理できるからである。
【実施例】
【００２０】
以下、本発明の実施形態の一例を、図１〜図４に示す実施例に基づいて説明する。図１〜図２は、本考案の付け爪接着用テープの構成を説明する図であり、図１の（ａ）は親指用、（ｂ）は人差し指又は中指用、図２の（ａ）は中指又は薬指用、（ｂ）は小指用のテープを示している。また、図３は、本考案の付け爪接着用テープを用いてユーザの自爪に付け爪を接着させた状態を説明する図、図４は、本考案の付け爪接着用テープセットの構成を説明する図である。
【００２１】
図１に示すように、本考案の付け爪接着用テープ１ａ，１ｂは、所望の基材からなるテープ部１０の表面又は裏面の何れか一方の面にのみ、例えばエチレン−酢酸ビニル系共重合体エマルジョンを主体とした合成樹脂エマルジョンタイプの水溶性接着剤からなる粘着剤を塗布し、この塗布面をユーザの自爪又は付け爪と接着するための接着面１１とするとともに、テープ部１０の所要の位置に複数の貫通孔２を設けた構成としている。テープ部１０の基材には、例えば合成樹脂系のフィルムが使用されている。
【００２２】
図１（ａ）の付け爪接着用テープ１ａは親指用であり、テープ部１０に計１９個の貫通孔２を設けている。図１（ｂ）は人差し指又は中指用の付け爪接着用テープ１ｂであり、計１２個の貫通孔２を設けている。このように、テープ部１０は、特定の指の形状及びサイズにカットされており、テープ部１０の全域に亘るように必要な数の貫通孔２を開口させている。
【００２３】
この付け爪接着用テープ１ｂを使用する際は、先ず、図３に示すように、粘着剤が塗布された接着面１１を、自爪Ｎの表面と付け爪Ｔの裏面に、夫々貼り合せる。つまり、本考案では、１つの爪に対して２枚のテープを使用する。なお、自爪Ｎの表面に付け爪接着用テープ１ｂを貼り付け後、自爪Ｎの周りの皮膚には、ネイルグルーが付かないように、クリームを塗っておくことが望ましい。
【００２４】
その後、付け爪接着用テープ１ｂを接着済みの自爪Ｎ上に、ネイルグルーＧをはみ出さないように薄く塗り、その上から付け爪接着用テープ１ｂを接着済みの付け爪Ｔを載せ置き、上から軽く押さえるようにする。このとき、ネイルグルーＧは、付け爪接着用テープ１ｂに設けた貫通孔２を通して自爪Ｎの表面及び付け爪Ｔの裏面の双方に到達し、これにより自爪Ｎと付け爪Ｔはしっかりと接着される。なお、図３において、Ｆは、ユーザの人差し指を表している。
【００２５】
このように、本考案は、テープ部１０に複数の貫通孔２を設けたことにより、ネイルグルーＧは、自爪及び付け爪と全面に亘って接着するのではなく点付けされた状態となるので、付け爪Ｔの取り外しが容易となる。したがって、付け爪Ｔ上に作製した装飾を破壊せずにそのままの状態で付け爪Ｔを取り外すことも可能となる。
【００２６】
また、本考案を用いた場合、付け爪Ｔの取り外しは、約４０度のお湯に１０分程度つけるだけで容易に行えるので、例えば入浴中に付け爪Ｔを取り外すことも可能となる。具体的には、接着面１１に塗布した粘着剤は、一旦お湯につけると柔らかくなり、付け爪Ｔが少し浮き加減になるので、その状態になれば再度お湯につけ、爪の先を押し下げ、ゆっくり前に引っ張ることにより容易に取り外しが行える。
【００２７】
なお、テープ部１０の接着面１１に塗布した粘着剤は水溶性のため、付け爪接着用テープ１ｂ自体は、指を水又はお湯につけることにより簡単に剥がすことができる。したがって、ユーザの自爪にダメージを与えることはなく、本考案は安心して使用できるものである。また、自爪Ｎの表面や付け爪Ｔの裏面に、点描のネイルグルーの跡が残る場合があるが、これもお湯につければ柔らかくなるので、簡単に擦り落とすことができる。
【００２８】
次に、本考案の望ましい実施形態について説明する。例えば、図１（ａ）に示す実施例では、テープ部１０の中央付近に設けた５個の貫通孔２は、孔の直径を１ｍｍ以上２ｍｍ以下の範囲とした大孔２ａとする一方、大孔２ａの周囲には、孔の直径を０．５ｍｍ以上１ｍｍ未満の範囲とした小孔２ｂを、大孔２ａを取り囲むように配設している。
【００２９】
このようにした理由は、比較的平らな爪の中央付近は、大孔２ａを通じて接着ポイント１個あたりの面積を広くしてしっかりと接着させることが望ましいが、曲率が大きい爪の周縁部においては、小孔２ｂを多数設けて接着ポイントを分散させた方が爪の形状に追従し易く、しっかりと接着できるからである。
【００３０】
図２（ａ）は中指又は薬指用の付け爪接着用テープ１ｃを、図２（ｂ）は小指用の付け爪接着用テープ１ｅを示している。このように、本考案では、各指毎に付け爪接着用テープを準備することが望ましく、図４に示すような、付け爪接着用テープセット２０として構成することが最も望ましい。
【００３１】
本考案の付け爪接着用テープセット２０は、図４に示すように、易剥離面３ａを有する台紙シート３を備え、この台紙シート３の易剥離面３ａ上に、付け爪接着用テープ１ａ〜１ｆを剥離可能に複数個定着させた構成である。このようにすれば、一枚の台紙シート３上に付け爪接着用テープ１ａ〜１ｆをまとめることができるので、持ち運びする際に便利である。
【００３２】
また、本考案の付け爪接着用テープセット２０は、台紙シート３の易剥離面３ａ側に貼着し得る、透明又は半透明の樹脂フィルムからなる剥離シート４を備えている。このようにすれば、付け爪接着用テープ１ａ〜１ｆの上面を剥離シート４が被覆するので、付け爪接着用テープ１ａ〜１ｆが使用前に台紙シート３から剥がれ落ちたり、破損もしくは汚損するのを防止できる。また、透明又は半透明の樹脂フィルムからなる剥離シート４を用いれば、剥離シート４を貼着した状態でも付け爪接着用テープの残枚数等を外部から視認できるので、好適である。
【００３３】
また、本実施例の付け爪接着用テープセット２０は、図４に示すように、長方形状の台紙シート３の易剥離面３ａ上に、ユーザの親指ないし小指の各爪のサイズに適合するように、段階的にサイズを変化させた付け爪接着用テープ１ａ〜１ｆを、剥離可能に複数個定着させた構成としている。より具体的には、６種類のサイズの付け爪接着用テープ１ａ，１ｂ，１ｃ，１ｄ，１ｅ，１ｆを、剥離可能にサイズ順に定着させて一組のテープセット２０ａ，２０ｂとするとともに、このテープセット２０ａ，２０ｂを、上下２列に並列させた構成としている。
【００３４】
本実施例において、付け爪接着用テープのサイズを６種類設けた理由は、本来、親指ないし小指用としては５種類のサイズがあれば良いのであるが、ユーザによって爪のサイズは様々であるため、５種類のサイズを準備するだけではサイズが合わない可能性があるからである。
【００３５】
また、本実施例では、図４に示すとおり、例えば左手用の上段のテープセットは右から左に向けて大きい順に、例えば右手用の下段のテープセットは左から右に向けて大きい順に、付け爪接着用テープをサイズ順に整列している。このようにサイズ順に整列されていれば、ユーザは、自爪や付け爪に適合するサイズのテープを見付け易くなるので、好適である。また、本実施例の配列は、上段を左手用、下段を右手用として捉えると、実際の爪の配列と一致したものとなるため、ユーザが今どの爪の作業をしているのかを視覚的に理解し易いという効果もある。
【００３６】
本発明は上記の例に限らず、各請求項に記載された技術的思想の範囲内で、適宜実施の形態を変更しても良いことは言うまでもない。例えば、開示した実施例では、貫通孔２は大孔２ａ、小孔２ｂ共、円形とする場合の例を開示したが、これらは例えば四角形状の孔であっても良い。
【００３７】
また、本考案の付け爪接着用テープを使用する際は、使用後に付け爪側に残存するネイルグルーを簡単に剥がすことを目的として、付け爪側には、孔無しの粘着テープを併用しても良い。つまり、付け爪側は、孔無しの粘着テープの上から貫通孔を有する付け爪接着用テープを貼り付けた状態とすれば、貫通孔を通して固着したネイルグルーは、粘着テープを剥がせば一度に簡単に取り除くことができるので、好適である。なお、この場合、付け爪の表面に、粘着テープ及び付け爪接着用テープを貼り付け後、付け爪の周縁部には、ネイルグルーが付かないように、離型剤又はシリコンを塗布しておくことが望ましい。
【産業上の利用可能性】
【００３８】
本考案の付け爪接着用テープ及びそのセットは、ネイルアートを楽しむ個人ユーザだけでなく、ネイルサロンなどの専門店における業務用にも利用できるものである。また、本考案は、足の付け爪にも適用できるものである。
【図面の簡単な説明】
【００３９】
【図１】本考案の付け爪接着用テープの構成を説明する図であり、（ａ）は親指用、（ｂ）は人差し指又は中指用を示している。
【図２】本考案の付け爪接着用テープの構成を説明する図であり、（ａ）は中指又は薬指用、（ｂ）は小指用を示している。
【図３】本考案の付け爪接着用テープを用いてユーザの自爪に付け爪を接着させた状態を説明する図である。
【図４】本考案の付け爪接着用テープセットの構成を説明する図である。
【符号の説明】
【００４０】
１ａ，１ｂ，１ｃ，１ｄ，１ｅ，１ｆ  付け爪接着用テープ
１０  テープ部
１１  接着面
２    貫通孔
２ａ  大孔
２ｂ  小孔
３    台紙シート
３ａ  易剥離面
４    剥離シート
２０  付け爪接着用テープセット
Ｎ    自爪
Ｔ    付け爪
【図１】
0003148962.tif 000003
【図２】
0003148962.tif 000004
【図３】
0003148962.tif 000005
【図４】
0003148962.tif 000006